(57)【特許請求の範囲】
【請求項１】
表裏両面に表示面を有し、表示内容の変更が可能で、かつ開閉可能に綴じられてページめくりを行うことができる少なくとも３枚のシート状画像表示部材と、
前記画像表示部材同士の接触状態から、前記ページめくりに伴う画像表示部材の開閉状態を検知する検知手段と、
前記検知手段による開閉状態の検知結果に応じて前記画像表示部材の表示内容を変更するとともに、前記各画像表示部材の同一方向へのページめくりと画像表示部材全体の１８０°回転操作とが繰り返されることにより、画像表示部材の表示面の合計数よりも多い数の表示内容を前記画像表示部材に表示させる表示制御手段と、
を備えていることを特徴とする画像表示装置。
【請求項２】
表裏両面に表示面を有し、表示内容の変更が可能で、かつ開閉可能に綴じられてページめくりを行うことができる複数枚のシート状画像表示部材と、
ページめくりに伴う前記画像表示部材の湾曲変形に基づく検出素子の変形を検知することにより、前記ページめくりに伴う画像表示部材の開閉状態を検知する検知手段と、
前記検知手段による開閉状態の検知結果に応じて前記画像表示部材の表示内容を変更するとともに、前記各画像表示部材の同一方向へのページめくりと画像表示部材全体の１８０°回転操作とが繰り返されることにより、画像表示部材の表示面の合計数よりも多い数の表示内容を前記画像表示部材に表示させる表示制御手段と、
を備えていることを特徴とする画像表示装置。
【発明の詳細な説明】
【０００１】
【発明の属する技術分野】
この発明は、文字や画像などの情報を蓄積した電子文書を読み出して表示面に表示し、書籍、新聞および雑誌等と同様の感覚で情報の入手が可能な電子ブック装置等に適用される画像表示装置に関する。
【０００２】
【従来の技術】
電子ブック装置では、ページ毎に表示内容を更新する必要があるが、このような表示内容の更新技術として、例えば特開平９−１３４３７０号公報には、電子ブックにおける表示内容を、その装置における特定のスイッチの入力操作により更新する技術が開示されている。また、特開平８−７６９２６号公報には、表示部のタッチセンサに対する操作者の指の動きに応じて表示内容を更新する技術が開示されている。
【０００３】
他方、特開平６−２９００１７号公報には、固定の表示部上にページめくり操作を検知するための疑似ページ部材を配置し、ページめくり操作により表示内容を更新する技術が開示されている。
【０００４】
【発明が解決しようとする課題】
しかし、前者の公知技術、つまりスイッチ入力やタッチセンサなどの装置固有の更新方法によって表示内容を更新するものでは、特定のスイッチ操作が面倒であり、通常の紙の本のようなページめくりとは全く違った感じとなる。
【０００５】
また、後者の公知技術、つまり固定の表示部上にページめくり操作を検知するための疑似ページ部材を配置したものでは、ページの更新が疑似ページ部材の所定数に限られ、その疑似ページ部材の所定数を超えるページ更新には、別の更新方法の導入が必要となってしまう。
【０００６】
この発明は、上記実情に鑑みてなされたものであり、装置固有の表示画像更新方法に依存せずに、紙の書籍のめくり操作に近い操作でページ更新が行え、しかも、ページ数に制約を受けることなく、表示画像の更新が可能となる画像表示装置を提供することを課題とする。
【０００７】
【課題を解決するための手段】
上記課題は、表裏両面に表示面を有し、表示内容の変更が可能で、かつ開閉可能に綴じられてページめくりを行うことができる少なくとも３枚のシート状画像表示部材と、前記画像表示部材同士の接触状態から、前記ページめくりに伴う画像表示部材の開閉状態を検知する検知手段と、前記検知手段による開閉状態の検知結果に応じて前記画像表示部材の表示内容を変更するとともに、前記各画像表示部材の同一方向へのページめくりと画像表示部材全体の１８０°回転操作とが繰り返されることにより、画像表示部材の表示面の合計数よりも多い数の表示内容を前記画像表示部材に表示させる表示制御手段と、を備えていることを特徴とする画像表示装置によって解決される。
【００１２】
この画像表示装置では、画像表示部材を紙の書籍のページをめくるように画像表示部材を開閉操作することにより、表示内容を変更できる。
【００１４】
さらに、前記検知手段は、画像表示部材同志の接触状態から画像表示部材の開閉状態を検知するから、めくり操作に伴って画像表示部材が完全に開いた状態が容易、かつ確実に検知され、表示更新が正確に行える。
【００１５】
さらにまた、表裏両面に表示面を有し、表示内容の変更が可能で、かつ開閉可能に綴じられてページめくりを行うことができる複数枚のシート状画像表示部材と、ページめくりに伴う前記画像表示部材の湾曲変形に基づく検出素子の変形を検知することにより、前記ページめくりに伴う画像表示部材の開閉状態を検知する検知手段と、前記検知手段による開閉状態の検知結果に応じて前記画像表示部材の表示内容を変更するとともに、前記各画像表示部材の同一方向へのページめくりと画像表示部材全体の１８０°回転操作とが繰り返されることにより、画像表示部材の表示面の合計数よりも多い数の表示内容を前記画像表示部材に表示させる表示制御手段と、を備えていることを特徴とする画像表示装置としても良い。前記検知手段は、ページめくりに伴う前記画像表示部材の湾曲変形に基づく検出素子の変形を検知することにより、ページめくりに伴う画像表示部材の開閉状態を検知するように構成されているから、表示ページの順更新や逆更新が比較的容易に行える。
【００１６】
【発明の実施の形態】
以下、この発明の一実施形態を図面に基づいて説明する。
【００１７】
図１は、この発明の一実施形態を示す電子ブック装置の外観斜視図であり、また、図２は同じく電子ブック装置の前側面図である。
【００１８】
図１および図２において、電子ブック装置は、表示内容を変更可能な複数枚、例えば３枚のシート状の画像表示部材１０，１１，１２と、これら画像表示部材１０，１１，１２を回転可能に結合する二つのバインド部２１，２１と、画像表示部材１０〜１２の各開閉状態を検知する検知スイッチ３１，３２，３３とを備えている。
【００１９】
前記バインド部２１，２１はリング状になっており、前記画像表示部材１０，１１，１２の各基端側を紙の本のように綴じた状態で開閉可能に保持している。勿論、このバインド部２１の形態は任意に変更可能である。
【００２０】
前記画像表示部材１０〜１２は、例えばシート状の比較的薄い反射形液晶ディスプレイ等からなり、画像表示部材１０における表裏両面には、それぞれ表示面１０ａ，１０ｂが備えられ、また、画像表示部材１１における表裏両面にも、それぞれ表示面１１ａ，１１ｂが備えられており、画像表示部材１２における表裏両面にも、それぞれ表示面１２ａ，１２ｂが備えられている。
【００２１】
この電子ブック装置は、図４に示すように、１番目の画像表示部材１０の表面側表示面１０ａが１面、その裏面側表示面１０ｂが２面、２番目の画像表示部材１１の表面側表示面１１ａが３面、その裏面側表示面１１ｂが４面、３番目の画像表示部材１２の表面側表示面１２ａが５面、その裏面側表示面１２ｂが６面となっている
画像表示部材１０の表示面１０ｂと画像表示部材１１の表示面１１ａのいずれか、例えば画像表示部材１０の表示面１０ｂには、両表示部材１０，１１の重なり状態（略接触状態）でＯＮする検知スイッチ３１が設けられており、また、画像表示部材１１の表示面１１ｂと画像表示部材１２の表示面１２ａのいずれか、例えば画像表示部材１１の表示面１１ｂには、両表示部材１１，１２の重なり状態でＯＮする検知スイッチ３２が設けられている。さらに、画像表示部材１２の表示面１２ｂと画像表示部材１０の表示面１０ａのいずれか、例えば画像表示部材１２の表示面１２ｂには、両表示部材１２，１０の重なり状態でＯＮする検知スイッチ３３が設けられている。
【００２２】
これら検知スイッチ３１，３２，３３は、それぞれ各画像表示部材１０，１１，１２の開閉操作であるメージめくり操作に伴って検知動作を行う。
【００２３】
これら検知スイッチ３１，３２，３３は、上記機械的なものに限らず、磁気的なものや光学的なものなど、画像表示部材１０〜１２のページめくりを検知できるものであれば何でもよい。
【００２４】
なお、各画像表示部材１０，１１，１２の相互間には、フレキシブルな通信ケーブル（図示せず）が設けられており、それぞれの間でのデータ授受が可能となっている。勿論、各画像表示部材１０，１１，１２の相互間のデータ授受は、通信ケーブルに限らず、無線式通信部で行うようにすることも可能である。
【００２５】
図３は、電子ブック装置の電気的構成を示すブロック図である。
【００２６】
図３において、電子ブック装置は、表示制御部４０、表示部４１、入力部４２、記憶部４３および通信部４４を備えており、表示制御部４０、記憶部４３及び通信部４４は、画像表示部材１０または１１または１２に内蔵されている。
【００２７】
前記表示部４１は、前述した表示面１０ａ，１０ｂ、表示面１１ａ，１１ｂ、表示面１２ａ，１２ｂの６つの表示面を備えており、表示制御部４０で指示される画像データの表示を行う。
【００２８】
前記記憶部４３には、各ページ毎の表示内容が記憶されている。
【００２９】
前記入力部４２は、前記検知スイッチ３１，３２，３３を備えており、例えば画像表示部材１２を図２の状態から左へめくり、この画像表示部材１２の表示面（５面）１２ａが画像表示部材１１の表示面（４面）１１ｂに接触すると、検知スイッチ３２がＯＮし、画像表部材１２の表示面（５面）１２ａが閉じられると同時に、画像表示部材１２の表示面（６面）１２ｂが開かれる。
【００３０】
前記表示制御部４０はＣＰＵなどを備え、電子ブック装置の全体を統括的に制御するほか、各検知スイッチ３１，３２，３３により、画像表示部材１０，１１，１２の開閉状態の変化が検出されることに応じて、所定の画像表示部材１０，１１，１２の表示内容を変更制御する。つまり、検知スイッチ３１，３２，３３のＯＮ・ＯＦＦ状態の変化に応じて記憶部４３から所望のページの画像データを読み出し、その画像データを表示部４１に表示させる。
【００３１】
前記通信部４４は、外部から別の画像データを受信し、記憶部４３に格納させるものである。
【００３２】
次に、上記構成の電子ブック装置について、ユーザーの操作に伴う入力部４２の入力状況と６つの表示面の表示ページの遷移を図５〜図９を参照しつつ説明する。
【００３３】
なお、図５〜図９では、前記検知スイッチ３１〜３３について、ＯＮした状態を黒塗り表示する。また、画像表示部材１０〜１２の各表示面を表示ページ（Ｐとする）番号で記してある。
【００３４】
＜ページ順方向の更新＞
図５において、同図（Ａ）に示すように、画像表示部材１０の表示面１０ａである１面を上にして３枚の画像表示部材１０，１１，１２を閉じた初期状態では、検知スイッチ３１，３２がそれぞれＯＮ、検知スイッチ３３がＯＦＦとなる。この時、１面が１ページ（Ｐ１）、２面が２ページ（Ｐ２）、３面が３ページ（Ｐ３）、４面が４ページ（Ｐ４）、５面が５ページ（Ｐ５）、６面が６ページ（Ｐ６）を表示している。
【００３５】
ここで、紙の本のページをめくるように、画像表示部材１０を同図（Ｂ）に示すように、左にめくり操作すると（１，２面左開き）、検知スイッチ３１が画像表示部材１１の表示面１１ａである３面から離れ、ＯＮからＯＦＦ状態となる。表示内容は更新する必要はない。
【００３６】
ついで、画像表示部材１１を同図（Ｃ）に示すように、左へめくり操作すると（３，４面左開き）、検知スイッチ３２が画像表示部材１２の表示面１２ａである５面から離れ、ＯＦＦとなる。これに伴って、１面に７ページの画像が表示される。画像表示部材１１が図６（Ｄ）に示すように、完全に左に倒れると、検知スイッチ３１がＯＮとなるが、表示内容を更新する必要はない。
【００３７】
画像表示部材１２の表示面１２ａに表示されている５ページ目を読み終えれば、装置全体をバインド部２１を中心に垂直面内に沿って反転（１８０°回転変移）させ、同図（Ｅ）に示すように、６面と１面を見開き状態にすると（５，６面を左に、１面を右側にする）、１面には、７ページが表示されている。
【００３８】
そして、同図（Ｅ）に示す状態から図７（Ｆ）に示すように、画像表示部材１０を左へめくり操作すると、これに伴う検知スイッチ３１のＯＦＦが検知される。
【００３９】
図７において、画像表示部材１０が左に開かれると、同図（Ｇ）に示すように、２面に８ページが、３面に９ページがそれぞれ表示される。
【００４０】
ついで、画像表示部材１１を同図（Ｈ）に示すように、左へめくり操作するとともに（３，４面左開き）画像表示部材１２を右に開くと、検知スイッチ３３がＯＦＦ、検知スイッチ３１がＯＮに切り替わり、４面に１０ページが、５面に１１ページがそれぞれ表示される。そして、同図（Ｈ）に示す状態から画像表示部材１２が同図（Ｉ）に示すように、完全に左に開かれると、ページ１０，１１が見られる。
【００４１】
以下、同様の操作を繰り返すことにより、ページが順次更新されながら、画像表示部材１０，１１，１２の各表示面に表示される。
【００４２】
＜ページ逆方向の更新＞
図８（Ａ）に示ように、画像表示部材１１を逆方向（右方向）へめくり操作すると、前記検知スイッチ３１〜３３がそれぞれＯＦＦとなる。画像表示部材１１が同図（Ｂ）に示すように、完全に右に倒れると、４面が閉じられ、検知スイッチ３２がＯＮする。この状態から装置全体をバインド部２１を中心に１８０°反転させ、同図（Ｃ）に示すように画像表示部材１１、１２を左へ、画像表示部材１０を右へ移動させる。
【００４３】
この状態で、画像表示部材１２を図９（Ｄ）に示ように、逆方向（右方向）へめくり操作を行うと、検知スイッチ３１〜３３がＯＦＦとなり、画像表示部材１１の表示面４，画像表示部材１２の表示面５には、それぞれ４，５ページが表示される。画像表示部材１２が同図（Ｅ）に示すように、完全に右に倒れると、検知スイッチ３３がＯＮに切り替わる。順次、このようにして、ページ逆更新（戻し）が行われる。
【００４４】
前記ページ順およびページ逆方向の更新に伴う入力状態ならびに表示ページをまとめて図１０の表に示してある。
【００４５】
上記のように、画像表示部材１０〜１２を紙の書籍のページをめくるように画像表示部材を開閉操作することにより、特殊な構造を採用しなくても、容易に表示内容の変更が行える。
【００４６】
また、現在の画像表示部材１０〜１２の表示内容と検知スイッチ３１〜３３の検知結果により、可視状態となったと判断される画像表示部材１０〜１２の表示内容を変更するので、画像表示部材１０〜１２の開閉操作に連動して表示ページなどの更新が行える。
【００４７】
さらに、画像表示部材１０〜１２のめくり操作の検知手段として、上記したようなスイッチ３１〜３３を採用することにより、めくり操作に伴って画像表示部材１０〜１２が完全に開いた状態を容易、かつ確実に検知できる。
【００４８】
次に、前記表示制御部４０による表示制御処理の内容を図１１のフローチャートで説明する。
【００４９】
なお、以下の説明ならびに図面では、ステップをＳと略記する。
【００５０】
Ｓ０００で、初期表示処理を行った後、Ｓ００１では、入力を所定の時間間隔で行うためのルーチンタイマである１０ｍｓの計時をスタートする。
【００５１】
この後、Ｓ００２では、入力部４２からの入力処理を行い、Ｓ００３では、記憶部４３から必要な情報を読み出すとともに、表示部４１に与えることにより表示を更新する。次いで、Ｓ００４では、必要に応じて通信部４４を介して外部との情報の送受信を行い、Ｓ００５では、ルーチンタイマの計時による所定時間が経過したか否かを判断する。所定時間が経過すれば（Ｓ００５の判定がＹＥＳ）、Ｓ００１に戻って前記タイマの計時を再びスタートし、入力部４２からの入力処理が繰り返される。所定時間が経過しなければ（Ｓ００５の判定がＮＯ）、経過するまで待つ。
【００５２】
次に、初期表示処理（Ｓ０００）の流れを図１２のフローチャートで説明する。
【００５３】
まず、Ｓ１００で、記憶部４３から１ページ目の画像を読み出して表示部４１における表示面の１面に与え、Ｓ１０１では、記憶部４３から２ページ目の画像を読み出して表示部４１における表示面の２面に与え、Ｓ１０２では、記憶部４３から３ページ目の画像を読み出して表示部４１における表示面の３面に与える。
【００５４】
Ｓ１０３では、記憶部４３から４ページ目の画像を読み出して表示部４１における表示面の４面に与え、Ｓ１０４では、記憶部４３から５ページ目の画像を読み出して表示部４１における表示面の５面に与え、Ｓ１０５では、記憶部４３から６ページ目の画像を読み出して表示部４１における表示面の６面に与える。この後、Ｓ１０６で、表示更新処理（Ｓ００３）において状態判断に用いる変数Ｓｔａｔｅ（以下、Ｓｔと記す）を１に初期化する。
【００５５】
次に、表示更新処理（Ｓ００３）の流れを図１３〜図１５のフローチャートで説明する。
【００５６】
Ｓ２００では、状態判断変数Ｓｔが１であるか否かを判断し、状態判断変数Ｓｔが１であれば（Ｓ２００の判定がＹＥＳ）、Ｓ２０１では、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。
【００５７】
これら検知スイッチ３１，３２，３３がそれぞれＯＦＦ，ＯＦＦ，ＯＦＦであれば（Ｓ２０１の判定がＹＥＳ）、Ｓ２０２では、ページ指定変数Ｓｅｔを６にする。ついで、Ｓ２０３で、ページ順更新処理を行い、Ｓ２０４で、状態判断変数Ｓｔを２にして、リターンする。検知スイッチ３１，３２，３３がそれぞれＯＦＦ，ＯＦＦ，ＯＦＦでなければ（Ｓ２０１の判定がＮＯ）、そのままリターンする。
【００５８】
Ｓ２００において、前記状態判断変数Ｓｔが１でなければ（Ｓ２００の判定がＮＯ）、Ｓ２０５で、状態判断変数Ｓｔが２であるか否かを判断し、状態判断変数Ｓｔが２であれば（Ｓ２０５の判定がＹＥＳ）、Ｓ２０６で、画像表示部材１０における検知スイッチ３１がＯＮ、画像示部材１１における検知スイッチ３２がＯＦＦ、画像表示部材１２における検知スイッチ３３がＯＦＦであるか否かを判断する。これら検知スイッチ３１，３２，３３がそれぞれＯＮ，ＯＦＦ，ＯＦＦであれば（Ｓ２０６の判定がＹＥＳ）、Ｓ２０７で、状態判断変数Ｓｔを３にして、リターンする。
【００５９】
これら検知スイッチ３１，３２，３３がそれぞれＯＮ，ＯＦＦ，ＯＦＦでなければ（Ｓ２０６の判定がＮＯ）、Ｓ２０８で、画像表示部材１０における検知スイッチ３１がＯＦＦ、画像表示部材１１における検知スイッチ３２がＯＮ、画像表示部材１２における検知スイッチ３３がＯＦＦであるか否かを判断する。これら検知スイッチ３１，３２，３３がそれぞれＯＦＦ，ＯＮ，ＯＦＦであれば（Ｓ２０８の判定がＹＥＳ）、Ｓ２０９では、ページ指定変数Ｓｅｔを１にする。ついで、Ｓ２１０では、ページ逆更新処理を行い、Ｓ２１１では、状態判断変数Ｓｔを７にして、リターンする。
【００６０】
Ｓ２０８において、これら検知スイッチ３１，３２，３３がそれぞれＯＦＦ，ＯＮ，ＯＦＦでなければ（Ｓ２０８の判定がＮＯ）、そのままリターンする。
【００６１】
Ｓ２０５において、前記状態判断変数Ｓｔが２でなければ（Ｓ２０５の判定がＮＯ）、Ｓ２１２で、状態判断変数Ｓｔが３であるか否かを判断し、状態判断変数Ｓｔが３であれば（Ｓ２１２の判定がＹＥＳ）、Ｓ２１３では、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＦＦ，ＯＦＦ，ＯＦＦであれば（Ｓ２１３の判定がＹＥＳ）、Ｓ２１４でページ指定変数Ｓｅｔを２にしたのち、Ｓ２１５でページ順更新処理を行う。そして、Ｓ２１６で、状態判断変数Ｓｔを４にして、リターンする。
【００６２】
Ｓ２１３において、検知スイッチ３１，３２，３３がそれぞれＯＦＦ，ＯＦＦ，ＯＦＦでなければ（Ｓ２１３の判定がＮＯ）、そのままリターンする。
【００６３】
Ｓ２１２において、前記状態判断変数Ｓｔが３でなければ（Ｓ２１２の判定がＮＯ）、Ｓ２１７で、状態判断変数Ｓｔが４であるか否かを判断し、状態判断変数Ｓｔが４であれば（Ｓ２１７の判定がＹＥＳ）、Ｓ２１８で、画像表示部材１０における検知スイッチ３１がＯＦＦ、画像表示部材１１における検知スイッチ３２がＯＦＦ、画像表示部材１２における検知スイッチ３３がＯＮであるか否かを判断する。これら検知スイッチ３１，３２，３３がそれぞれＯＦＦ，ＯＦＦ，ＯＮであれば（Ｓ２１８の判定がＹＥＳ）、Ｓ２１９で、状態判断変数Ｓｔを５にして、リターンする。
【００６４】
これら検知スイッチ３１，３２，３３がそれぞれＯＦＦ，ＯＦＦ，ＯＮでなければ（Ｓ２１８の判定がＮＯ）、Ｓ２２０で、画像表示部材１０における検知スイッチ３１がＯＮ、画像表示部材１１における検知スイッチ３２がＯＦＦ、画像表示部材１２における検知スイッチ２３がＯＦＦであるか否かを判断する。これら検知スイッチ３１，３２，３３がそれぞれＯＮ，ＯＦＦ，ＯＦＦであれば（Ｓ２２０の判定がＹＥＳ）、Ｓ２２１では、ページ指定変数Ｓｅｔを５にする。ついで、Ｓ２２２では、ページ逆更新処理を行ったのち、Ｓ２２３で、状態判断変数Ｓｔを９にして、リターンする。検知スイッチ３１，３２，３３がそれぞれＯＮ，ＯＦＦ，ＯＦＦでなければ（Ｓ２２０の判定がＮＯ）、そのままリターンする。
【００６５】
Ｓ２１７において、状態判断変数Ｓｔが４でなければ（Ｓ２１７の判定がＮＯ）、図１４のＳ２２４に進む。
【００６６】
図１４において、Ｓ２２４で、状態判断変数Ｓｔが５であるか否かを判断し、状態判断変数Ｓｔが５であれば（Ｓ２２４の判定がＹＥＳ）、Ｓ２２５で、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＦＦ，ＯＦＦ、ＯＦＦであれば（Ｓ２２５の判定がＹＥＳ）、Ｓ２２６で、ページ指定変数Ｓｅｔを４にする。ついで、Ｓ２２７でページ順更新処理を行ったのち、Ｓ２２８で、状態判断変数Ｓｔを６にして、リターンする。検知スイッチ３１，３２，３３がそれぞれＯＦＦ，ＯＦＦ，ＯＦＦでなければ（Ｓ２２５の判定がＮＯ）、そのままリターンする。
【００６７】
Ｓ２２４において、状態判断変数Ｓｔが５でなければ（Ｓ２２４の判定がＮＯ）、Ｓ２２９で、状態判断変数Ｓｔが６であるか否かを判断する。状態判断変数Ｓｔが６であれば（Ｓ２２９の判定がＹＥＳ）、Ｓ２３０で、画像表示部材１０における検知スイッチ３１がＯＦＦ、画像表示部材１１における検知スイッチ３２がＯＮ、画像表示部材１２における検知スイッチ３３がＯＦＦであるか否かを判断する。これら検知スイッチ３１，３２，３３がそれぞれＯＦＦ，ＯＮ，ＯＦＦであれば（Ｓ２３０の判定がＹＥＳ）、Ｓ２３１で、状態判断変数Ｓｔを１にして、リターンする。
【００６８】
Ｓ２３０において、検知スイッチ３１，３２，３３がそれぞれＯＦＦ，ＯＮ，ＯＦＦでなければ（Ｓ２３０の判定がＮＯ）、Ｓ２３２では、画像表示部材１０における検知スイッチ３１がＯＦＦ、画像表示部材１１における検知スイッチ３２がＯＦＦ、画像表示部材１２における検知スイッチ３３がＯＮであるか否かを判断する。これら検知スイッチ３１，３２，３３がそれぞれＯＦＦ，ＯＦＦ，ＯＮであれば（Ｓ２３２の判定がＹＥＳ）、Ｓ２３３で、ページ指定変数Ｓｅｔを３にする。ついで、Ｓ２３４でページ逆更新処理を行ったのち、Ｓ２３５で、状態判断変数Ｓｔを１１にして、リターンする。検知スイッチ３１，３２，３３がそれぞれＯＦＦ，ＯＦＦ，ＯＮでなければ（Ｓ２３２の判定がＮＯ）、そのままリターンする。
【００６９】
Ｓ２２９において、状態判断変数Ｓｔが６でなければ（Ｓ２２９の判定がＮＯ）、Ｓ２３６で、状態判断変数Ｓｔが７であるか否かを判断する。
【００７０】
状態判断変数Ｓｔが７であれば（Ｓ２３６の判定がＹＥＳ）、Ｓ２３７で、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＦＦ，ＯＦＦ，ＯＦＦであれば（Ｓ２３７の判定がＹＥＳ）、Ｓ２３９でページ指定変数Ｓｅｔを５にする。ついで、Ｓ２４０でページ逆更新処理を行ったのち、Ｓ２４１で、状態判断変数Ｓｔを８にして、リターンする。検知スイッチ３１，３２，３３がそれぞれＯＦＦ，ＯＦＦ，ＯＦＦでなければ（Ｓ２３７の判定がＮＯ）、そのままリターンする。
【００７１】
Ｓ２３６において、状態判断変数Ｓｔが７でなければ（Ｓ２３６の判定がＮＯ）、Ｓ２４２で、状態判断変数Ｓｔが８であるか否かを判断する。
【００７２】
状態判断変数Ｓｔが８であれば（Ｓ２４２の判定がＹＥＳ）、Ｓ２４３で、画像表示部材１０における検知スイッチ３１がＯＦＦ、画像表示部材１１における検知スイッチ３２がＯＦＦ、画像表示部材１２における検知スイッチ２３がＯＮであるか否かを判断する。これら検知スイッチ３１，３２，３３がそれぞれＯＦＦ，ＯＦＦ，ＯＮであれば（Ｓ２４３の判定がＹＥＳ）、Ｓ２４４で、状態判断変数Ｓｔを９にして、リターンする。
【００７３】
Ｓ２４３において、検知スイッチ３１，３２，３３がそれぞれＯＦＦ，ＯＦＦ，ＯＮでなければ（２４３の判定がＮＯ）、Ｓ２４５で、画像表示部材１０における検知スイッチ３１がＯＦＦ、画像表示部材１１における検知スイッチ３２がＯＮ、画像表示部材１２における検知スイッチ３３がＯＦＦであるか否かを判断する。これら検知スイッチ３１，３２，３３がそれぞれＯＦＦ，ＯＮ，ＯＦＦであれば（Ｓ２４５の判定がＹＥＳ）、Ｓ２４６で、ページ指定変数Ｓｅｔを２にする。ついで、Ｓ２４７でページ順更新処理を行い、Ｓ２４８で、状態判断変数Ｓｔを３にして、リターンする。検知スイッチ３１，３２，３３がそれぞれＯＦＦ，ＯＮ，ＯＦＦでなければ（Ｓ２４５の判定がＮＯ）、そのままリターンする。
【００７４】
Ｓ２４２において、状態判断変数Ｓｔが８でなければ（Ｓ２４２の判定がＮＯ）、図１５のＳ２４９に進む。
【００７５】
図１５において、Ｓ２４９では、状態判断変数Ｓｔが９であるか否かを判断し、状態判断変数Ｓｔが９であれば（Ｓ２４９の判定がＹＥＳ）、Ｓ２５０で、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＦＦ，ＯＦＦ、ＯＦＦであれば（Ｓ２５０の判定がＹＥＳ）、Ｓ２５１で、ページ指定変数Ｓｅｔを１にする。ついで、Ｓ２５２でページ逆更新処理を行ったのち、Ｓ２５３で状態判断変数Ｓｔを１０にして、リターンする。
【００７６】
Ｓ２５０において、これら検知スイッチ３１，３２，３３がそれぞれＯＦＦ，ＯＦＦ、ＯＦＦでなければ（Ｓ２５０の判定がＮＯ）、そのままリターンする。
【００７７】
Ｓ２４９において、状態判断変数Ｓｔが９でなければ（Ｓ２４９の判定がＮＯ）、Ｓ２５４では、状態判断変数Ｓｔが１０であるか否かを判断する。状態判断変数Ｓｔが１０であれば（Ｓ２５４の判定がＹＥＳ）、Ｓ２５５で、画像表示部材１０における検知スイッチ３１がＯＮ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＮ，ＯＦＦ，ＯＦＦであれば（Ｓ２５５の判定がＹＥＳ）、Ｓ２５６で、状態判断変数Ｓｔを１１にして、リターンする。
【００７８】
Ｓ２５５において、検知スイッチ３１，３２，３３がそれぞれＯＮ，ＯＦＦ，ＯＮＦでなければ（Ｓ２５５の判定がＮＯ）、Ｓ２５７で、画像表示部材１０における検知スイッチ３１がＯＦＦ、画像表示部材１１における検知スイッチ３２がＯＦＦ、画像表示部材１２における検知スイッチ３３がＯＮであるか否かを判断する。これら検知スイッチ３１，３２，３３がそれぞれＯＦＦ，ＯＦＦ，ＯＮであれば（Ｓ２５７の判定がＹＥＳ）、Ｓ２５８で、ページ指定変数Ｓｅｔを４にする。ついで、Ｓ２５９でページ順更新処理を行った後、Ｓ２６０で、状態判断変数Ｓｔを５にして、リターンする。検知スイッチ３１，３２，３３がそれぞれＯＦＦ，ＯＦＦ，ＯＮでなければ（Ｓ２５７の判定がＮＯ）、そのままリターンする。
【００７９】
Ｓ２５４において、状態判断変数Ｓｔが１０でなければ（Ｓ２５４の判定がＮＯ）、Ｓ２６１では、状態判断変数が１１であるか否かを判断する。
【００８０】
状態判断変数Ｓｔが１１であれば（Ｓ２６１の判定がＹＥＳ）、Ｓ２６２では、画像表示部材１０における検知スイッチ３１がＯＦＦ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＦＦ，ＯＦＦ，ＯＦＦであれば（Ｓ２６２の判定がＹＥＳ）、Ｓ２６３で、ページ指定変数Ｓｅｔを３にする。ついで、Ｓ２６４でページ逆更新処理を行った後、Ｓ２６５で状態判断変数Ｓｔを１２にして、リターンする。検知スイッチ３１，３２，３３がそれぞれＯＦＦ，ＯＦＦ，ＯＦＦでなければ（Ｓ２６２の判定がＮＯ）、そのままリターンする。
【００８１】
Ｓ２６１において、状態判断変数Ｓｔが１１でなければ（Ｓ２６１の判定がＮＯ）、Ｓ２６６では、状態判断変数が１２であるか否かを判断する。
【００８２】
状態判断変数Ｓｔが１２であれば（Ｓ２６６の判定がＹＥＳ）、Ｓ２６７で、画像表示部材１０における検知スイッチ３１がＯＦＦ、画像表示部材１１における検知スイッチ３２がＯＮ、画像表示部材１２における検知スイッチ３３がＯＦＦであるか否かを判断する。これら検知スイッチ３１，３２，３３がそれぞれＯＦＦ，ＯＮ，ＯＦＦであれば（Ｓ２６７の判定がＹＥＳ）、Ｓ２６８で、状態判断変数Ｓｔを７にして、リターンする。
【００８３】
Ｓ２６７において、検知スイッチ３１，３２，３３がそれぞれＯＦＦ，ＯＮ，ＯＦＦでなければ（Ｓ２６７の判定がＮＯ）、Ｓ２６９で、画像表示部材１０における検知スイッチ３１がＯＮ、画像表示部材１１における検知スイッチ３２がＯＦＦ、画像表示部材１２における検知スイッチ３３がＯＦＦであるか否かを判断する。これら検知スイッチ３１，３２，３３がそれぞれＯＮ，ＯＦＦ，ＯＦＦであれば（Ｓ２６９の判定がＹＥＳ）、Ｓ２７０では、ページ指定変数Ｓｅｔを６にする。ついで、Ｓ２７１では、ページ順更新処理を行い、Ｓ２７２で状態判断変数Ｓｔを１にして、リターンする。検知スイッチ３１，３２，３３がそれぞれＯＮ，ＯＦＦ，ＯＦＦでなければ（Ｓ２６９の判定がＮＯ）、そのままリターンする。
【００８４】
Ｓ２６６において、状態判断変数Ｓｔが１２でなければ（Ｓ２６６の判定がＮＯ）、そのままリターンする。
【００８５】
次に、ページ順更新処理（Ｓ２０３等）の流れを図１６のフローチャートで説明する。
【００８６】
読み出される直前に設定されているページ指定変数Ｓｅｔに応じて、次のページの有無を判断して、見開き２ページ分の表示の順更新を行っている。
【００８７】
まず、Ｓ３００で、ページ指定変数Ｓｅｔが２であるか否かを判断する。ページ指定変数Ｓｅｔが２でなければ（Ｓ３００の判定がＮＯ）、Ｓ３０５に進む。
【００８８】
ページ指定変数Ｓｅｔが２であれば（Ｓ３００の判定がＹＥＳ）、Ｓ３０１で、第１面表示ページの次のページがあるか否かを判断する。第１面表示ページの次のページがあれば（Ｓ３０１の判定がＹＥＳ）、Ｓ３０２で、第２面表示ページに第１面表示ページの次のページを表示する。第１面表示ページの次のページがなければ（Ｓ３０１の判定がＮＯ）、そのままリターンする。
【００８９】
次いでＳ３０３では、第２面表示ページの次のページがあるか否かを判断し、第２面表示ページの次のページがあれば（Ｓ３０３の判定がＹＥＳ）、Ｓ３０４で、第３面表示ページに第２面表示ページの次のページを表示する。第２面表示ページの次のページがなければ（Ｓ３０３の判定がＮＯ）、そのままリターンする。
【００９０】
Ｓ３０５では、ページ指定変数Ｓｅｔが４であるか否かを判断する。ページ指定変数Ｓｅｔが４でなければ（Ｓ３０５の判定がＮＯ）、Ｓ３１０に進む。
【００９１】
ページ指定変数Ｓｅｔが４であれば（Ｓ３０５の判定がＹＥＳ）、Ｓ３０６で、第３面表示ページの次のページがあるか否かを判断する。第３面表示ページの次のページがあれば（Ｓ３０６の判定がＹＥＳ）、Ｓ３０７で、第４面表示ページに第３面表示ページの次のページを表示する。第３面表示ページの次のページがなければ（Ｓ３０６の判定がＮＯ）、そのままリターンする。
【００９２】
次いでＳ３０８では、第４面表示ページの次のページがあるか否かを判断し、第４面表示ページの次のページがあれば（Ｓ３０８の判定がＹＥＳ）、Ｓ３０９で、第５面表示ページに第４面表示ページの次のページを表示する。第４面表示ページの次のページがなければ（Ｓ３０８の判定がＮＯ）、そのままリターンする。
【００９３】
Ｓ３１０では、ページ指定変数Ｓｅｔが６であるか否かを判断する。ページ指定変数Ｓｅｔが６でなければ（Ｓ３１０の判定がＮＯ）、そのままリターンする。
【００９４】
ページ指定変数Ｓｅｔが６であれば（Ｓ３１０の判定がＹＥＳ）、Ｓ３１１で、第５面表示ページの次のページがあるか否かを判断する。第５面表示ページの次のページがあれば（Ｓ３１１の判定がＹＥＳ）、Ｓ３１２で、第６面表示ページに第５面表示ページの次のページを表示する。第５面表示ページの次のページがなければ（Ｓ３１１の判定がＮＯ）、そのままリターンする。
【００９５】
次いでＳ３１３では、第６面表示ページの次のページがあるか否かを判断し、第６面表示ページの次のページがあれば（Ｓ３１３の判定がＹＥＳ）、Ｓ３１４では、第１面表示ページに第６面表示ページの次のページを表示する。第６面表示ページの次のページがなければ（Ｓ３１３の判定がＮＯ）、そのままリターンする。
【００９６】
次に、ページ逆更新処理（Ｓ２１０等）の流れを図１７のフローチャートで説明する。
【００９７】
前記ページ順更新処理と同様に、読み出される直前に設定されるページ指定変数Ｓｅｔに応じて、前のページの有無を判断して見開き２ページ分の表示の逆更新を行っている。
【００９８】
Ｓ４００では、ページ指定変数Ｓｅｔが１であるか否かを判断する。ページ指定変数Ｓｅｔが１でなければ（Ｓ４００の判定がＮＯ）、Ｓ４０５に進む。
【００９９】
ページ指定変数Ｓｅｔが１であれば（Ｓ４００の判定がＹＥＳ）、Ｓ４０１で、第２面表示ページの前のページがあるか否かを判断する。第２面表示ページの前のページがあれば（Ｓ４０１の判定がＹＥＳ）、Ｓ４０２で、第１面表示ページに第２面表示ページの前のページを表示する。第２面表示ページの前のページがなければ（Ｓ４０１の判定がＮＯ）、そのままリターンする。
【０１００】
次いでＳ４０３では、第１面表示ページの前のページがあるか否かを判断し、第１面表示ページの前のページがあれば（Ｓ４０３の判定がＹＥＳ）、Ｓ４０４で、第６面表示ページに第１面表示ページの前のページを表示する。第１面表示ページの前のページがなければ（Ｓ４０３の判定がＮＯ）、そのままリターンする。
【０１０１】
Ｓ４０５では、ページ指定変数Ｓｅｔが３であるか否かを判断する。ページ指定変数Ｓｅｔが３でなければ（Ｓ４０５の判定がＮＯ）、Ｓ４１０に進む。
【０１０２】
ページ指定変数Ｓｅｔが３であれば（Ｓ４０５の判定がＹＥＳ）、Ｓ４０６で、第４面表示ページの前のページがあるか否かを判断する。第４面表示ページの前のページがあれば（Ｓ４０６の判定がＹＥＳ）、Ｓ４０７で、第３面表示ページに第４面表示ページの前のページを表示する。第４面表示ページの前のページがなければ（Ｓ４０６の判定がＮＯ）、そのままリターンする。
【０１０３】
次いでＳ４０８で、第３面表示ページの前のページがあるか否かを判断し、第３面表示ページの前のページがあれば（Ｓ４０８の判定がＹＥＳ）、Ｓ４０９で、第２面表示ページに第３面表示ページの前のページを表示する。第３面表示ページの前のページがなければ（Ｓ４０８の判定がＮＯ）、そのままリターンする。
【０１０４】
Ｓ４１０では、ページ指定変数Ｓｅｔが５であるか否かを判断する。ページ指定変数Ｓｅｔが５でなければ（Ｓ４１０の判定がＮＯ）、そのままリターンする。
【０１０５】
ページ指定変数Ｓｅｔが５であれば（Ｓ４１０の判定がＹＥＳ）、Ｓ４１１では、第６面表示ページの前のページがあるか否かを判断する。第６面表示ページの前のページがあれば（Ｓ４１１の判定がＹＥＳ）、Ｓ４１２で、第５面表示ページに第６面表示ページの前のページを表示する。第６面表示ページの前のページがなければ（Ｓ４１１の判定がＮＯ）、そのままリターンする。
【０１０６】
次いでＳ４１３で、第５面表示ページの前のページがあるか否かを判断し、第５面表示ページの前のページがあれば（Ｓ４１３の判定がＹＥＳ）、Ｓ４１４では、第４面表示ページに第５面表示ページの前のページを表示する。第５面表示ページの前のページがなければ（Ｓ４１３の判定がＮＯ）、そのままリターンする。
【０１０７】
次に、この発明の第２の実施形態を図面に基づいて説明する。
【０１０８】
図１８は、この発明の第２の実施形態にかかる電子ブック装置を示す外観斜視図、図１９は同じく前側面図である。
【０１０９】
図１８、図１９において、表示内容が変更可能な複数、例えば２枚のシート状の画像表示部材１０，１１がフレキシブルな結合部２２により綴じられている。
【０１１０】
各画像表示部材１０，１１は、全体がページめくり方向へ湾曲変形可能であり、各表面および裏面に、自発光素子、例えばＥＬ素子からなる超薄形の表示面１０ａ，１０ｂおよび１１ａ，１１ｂをもっている。つまり、１番目の画像表示部材１０の表面側表示面１０ａが１面、その裏面側表示面１０ｂが２面となっており、２番目の画像表示部材１１の表面側表示面１１ａが３面、その裏面側表示面１１ｂが４面となっている（図２１）。
【０１１１】
フレキシブル結合部２２は、画像表示部材１０，１１の表示面１０ａ，１０ｂ，１１ａ，１１ｂのページ順更新や逆更新を可能にするために、両画像表示部材１０，１１を二つ折り可能に連結している。
【０１１２】
表示面１０ａ，１０ｂおよび表示面１１ａ，１１ｂには、画像表示部材１０，１１の湾曲変形から、その開閉を検知するための手段として、それぞれ圧電素子などからなる線状のストレンゲージ（以下、検知素子という）５１，５２および５３，５４が設けられている。
【０１１３】
検知素子５１〜５４は、例えば画像表示部材１１を右端を持ち上げた状態では、この画像表示部材１１の裏面の表示面１１ｂである４面の検出素子５４が伸長変形して、出力がＯＮする。
【０１１４】
図２０は、この第２の実施形態における電子ブック装置の電気的構成を示すブロック図であり、前記第１の実施形態の電気的構成と同一部位には、同一符号を付して説明を省略する。なお、この実施形態においても、表示制御部４０、記憶部４３、通信部４４は、画像表示部材１０あるいは１１に内蔵されている。
【０１１５】
図２０において、入力部４２は、前記検知素子５１〜５４を備えている。表示制御部４０は、入力部４２の検出状態、つまり検知素子５１〜５４のなかで、伸長変形したもの（ＯＮ状態）に応じて記憶部４３から所望のページの画像データを読み出し、表示部４１に与える。
【０１１６】
次に、上記第２実施形態に係る電子ブック装置について、ユーザーの操作に伴う入力部４２の入力状況と４つの表示面の表示画像の遷移を図２２〜図２６を参照しつつ説明する。
【０１１７】
なお、図２２〜図２６において、検知素子５１〜５４は、ＯＮ状態を実線、ＯＦＦ状態を点線でそれぞれで示してある。また、画像表示部材１０，１１の表示面を表示ページで記してある。
【０１１８】
＜ページ順方向の更新＞
図２２において、同図（Ａ）に示すように、画像表示部材１０の表示面１０ａである１面を上にして、両画像表示部材１０，１１を二つ折りにした初期状態では、検知素子５１〜５４がそれぞれＯＦＦである。
【０１１９】
初期状態から同図（Ｂ）に示すように、画像表示部材１０を矢印で示す順方向にめくり操作すると（１，２面左開き）にすると、画像表示部材１０の表示面１０ｂである２面が伸長し、検知素子５２がＯＮする。画像表示部材１０が同図（Ｃ）に示すように、完全に左へ開かれると、２，３面にそれぞれ２，３ページが表示される。この時、検知素子５１〜５４がそれぞれＯＦＦとなる。
【０１２０】
ついで、図２３（Ｄ）に示すように、画像表示部材１１をめくり操作すると（３，４面左開き）にすると、画像表示部材１１の表示面１１ｂである４面が伸長し、検知素子５４がＯＮする。画像表示部材１１が同図（Ｅ）に示すように完全に他方の画像表示部材１０側に曲がって重なると、４面に４ページが表示される一方、画像表示部材１０の表示面１０ａである１面に５ページが表示される。この時、検知素子５１〜５４がそれぞれＯＦＦとなる。
【０１２１】
同図（Ｅ）の状態から前記１面が上になるように、装置全体を１８０°回転させると、図２４（Ｆ）に示すように、前記画像表示部材１０の表示面１０ａである１面に表示された５ページが見られる。
【０１２２】
図２４において、同図（Ｆ）に示す状態から画像表示部材１０をめくり操作すると（１，２面を左へ開く）と、画像表示部材１０の表示面１０ｂである２面が伸長し、検知素子５２がＯＮして、前記２，３面に６，７ページがそれぞれ表示される。そして、画像表示部材１０が同図（Ｇ）に示すように、完全に開いた状態では、検知素子５１〜５４がそれぞれＯＦＦとなる。
【０１２３】
同図（Ｇ）に示す状態から同図（Ｈ）に示すように、画像表示部材１１をめくり操作すると（３，４面を左へ開く）、画像表示部材１１の表示面１１ｂである４面が伸長し、検知素子５４がＯＮし、４面、１面にそれぞれ８，９ページが表示される。同図（Ｉ）に示すように、画像表示部材１１が他方の画像表示部材１０上に重なる状態では、検知素子５１〜５４がそれぞれＯＦＦとなる。
【０１２４】
＜ページ逆方向の更新＞
図２５において、同図（Ａ）の状態から画像表示部材１１を右にめくり操作すると（３，４面右開き）、画像表示部材１１の表示面１１ａである３面が伸長し、検知素子５３がＯＮする。画像表示部材１１が同図（Ｂ）に示すように、完全に開くと、検知素子５１〜５４がそれぞれＯＦＦとなる。
【０１２５】
ついで、画像表示素子１０を開き、１、２面を同図（Ｃ）に示すように、右開きすると、画像表示部材１１における１面が伸長し、検出素子５１がＯＮし、１，４面にそれぞれ５，４ページが表示される。画像表示部材１１が同図（Ｄ）に示すように、完全に右に倒れると、前記検知素子５１〜５４がそれぞれＯＦＦとなる。
【０１２６】
同図（Ｄ）の状態から装置を全体を１８０°回転させると、図２６（Ｅ）に示すように、前記画像表示部材１１の表示面１１ｂである４面に４ページが表示されている。
【０１２７】
そして、同図（Ｅ）の状態から画像表示部材１１を右にめくり操作すると（３，４面を右開き）、画像表示部材１１の表示面１１ａである３面が伸長し、検知素子５３がＯＮし、３，２面に３，２ページがそれぞれ表示される。画像表示部材１１が同図（Ｆ）に示すように、完全に右に開くと、前記検知素子５１〜５４がそれぞれＯＦＦとなる。
【０１２８】
さらに、同図（Ｆ）の状態から画像表示部材１０を同図（Ｇ）に示すように、右にめくり操作する（１，２面を右開き）。
【０１２９】
同図（Ｇ）の状態では、画像表示部材１０の表示面１０ａである１面が伸長し、検知素子５１がＯＮし、１面に１ページが表示される。画像表示部材１０が同図（Ｈ）に示すように、完全に右に倒れると、前記検知素子５１〜５４がそれぞれＯＦＦとなる。
【０１３０】
上記画像表示部材１０、１１のめくり操作に伴う検知素子５１〜５４のＯＮ・ＯＦＦ状態並びに表示ページをまとめて図２７に示す。
【０１３１】
このように、上記構成の電子ブック装置では、ページめくり操作された画像表示部材１０，１１の湾曲変形が検知素子５１〜５２により検知されて、ページ更新および逆更新が簡単に行える。
【０１３２】
次に、この発明の第３の実施形態を図面に基づいて説明する。
【０１３３】
図２８は、この発明の第３の実施形態にかかる画像表示装置が適用された電子ブック装置を示す外観斜視図、図２９は、同じく電子ブック装置の前側面図である。
【０１３４】
図２８および図２９において、薄板状の装置本体６０の表面側は、表示内容を変更可能な第１の表示手段６０ａとして、また、裏面側は、表示内容を変更可能な第２の表示手段６０ｂとしてそれぞれ構成されており、ページ順方向へ更新する場合は、第１方向、例えば矢印ａ方向へ１８０°反転（順方向回転）させ、ページ逆方向へ更新する場合は、第２方向、例えば矢印ｂ方向へ１８０°反転（逆方向回転）させる。
【０１３５】
装置本体６０には、前記順および逆反転をそれぞれ検出する反転検知部６１が内蔵されている。
【０１３６】
この反転検知部６１は、図３０に示すように、装置本体６０に形成された球体収容空間６２と、球体収容空間６２に収容された操作子としての球体６３と、球体収容空間６２の上下および左右の内壁凹所７１，７３および７２，７４と、これら凹所７１〜７４にそれぞれ配設された検知スイッチ８１，８２，８３，８４とを備えている。
【０１３７】
前記検知スイッチ８１は、前記凹所７１内に固定された固定接触片８１ａと、前記球体６３で操作されるとともにばね部材（図示せず）を介して前記固定接触片８１ａに対し接離方向へ弾性支持された可動接触片８１ｂとからなる。
【０１３８】
前記検知スイッチ８２も同様に、前記凹所７２内に固定された固定接触片８２ａと、前記球体６３で操作されるとともにばね部材（図示せず）を介して前記固定接触片８２ａに対し接離方向へ弾性支持された可動接触片８２ｂとからなる。
【０１３９】
前記検知スイッチ８３も同様に、前記凹所７３内に固定された固定接触片８３ａと、前記球体６３で操作されるとともにばね部材（図示せず）を介して前記固定接触片８３ａに対し接離方向へ弾性支持された可動接触片８３ｂとからなる。
【０１４０】
前記検知スイッチ８４も同様に、前記凹所７４内に固定された固定接触片８４ａと、前記球体６３で操作されるとともにばね部材（図示せず）を介して前記固定接触片８４ａに対し接離方向へ弾性支持された可動接触片８４ｂとからなる。
【０１４１】
つまり、装置本体６０を反転させた時の球体６３の転動により、球体６３が可動接触片８１ｂ〜８４ｂのいずれかを押圧操作することにより、可動接触片８１ｂ〜８４ｂとこれに対応する固定固定接触片８１ａ〜８４ｂとが接触し、検知スイッチ８１〜８４がＯＮする。検知スイッチ８１〜８４がどのような順でＯＮするかにより、装置本体６０の反転方向が検知され、所定の表示手段６０ａ，６０ｂの表示内容が変更される。
【０１４２】
図３１は、上記電子ブック装置の電気的構成を示すブロック図である。
【０１４３】
図３１において、電子ブック装置は、第１および第２の表示手段６０ａ，６０ｂからなる表示部４１と、入力部４２と、ＣＰＵ等を備えた表示制御部４０と、表示内容を記憶する記憶部４３と、通信部４４とを備えている。表示制御部４０、記憶部４３、通信部４４も、装置本体６０に内蔵されている。
【０１４４】
第１および第２の表示手段６０ａ，６０ｂは、表示制御部４０で指示される画像データの表示を行う。
【０１４５】
入力部４２は、前記検知スイッチ８１〜８４を備えている。表示制御部４０は、全体制御の他、前記入力部４２からのＯＮ出力状態、つまり、検知スイッチ８１〜８４からのＯＮ出力を受けて、記憶部４３から所定のページの画像データを読み出し、その時の装置本体６０における第１および第２の表示手段６０ａ，６０ｂのうちの表面側となる表示手段６０ａ（６０ｂ）の表示内容を変更させるようになっている。なお、図３２に示すように、表示手段６０ａ側を表示面の１面、表示手段６０ｂ側を表示面の２面とする。
【０１４６】
また、表示制御部４０は、第１方向の反転を検出した時に、第１および第２の表示手段６０ａ，６０ｂの一方もしくは双方のそれぞれの表示ページを加算し、第２方向の反転を検出した時に、第１および第２の表示手段６０ａ，６０ｂの一方もしくは双方のそれぞれの表示ページを減算して、表示手段６０ａ，６０ｂにそのページを表示させるようになっている。
【０１４７】
次に、上記構成の電子ブック装置について、ユーザーの操作に伴う入力部４２の入力状況と第１および第２の表示手段６０ａ，６０ｂの表示ページの遷移を図３３〜３６を参照しつつ説明する。
【０１４８】
なお、図３３〜３６では、検知スイッチ８１〜８４について、ＯＮした状態を実線で、ＯＦＦ状態を点線でそれぞれ示し、また、第１および第２の表示手段６０ａ，６０ｂの各表示面を表示ページ番号で記してある。
＜ページ順方向の更新＞
図３３（Ａ）に示すように、第１の表示手段６０ａが上になって、検知スイッチ８１のみがＯＮした初期状態では、第１および第２の表示手段６０ａ，６０ｂがそれぞれ１，２面となり、それぞれ１，２ぺージが表示される。
【０１４９】
この初期状態から装置本体６０を反時計方向である第１方向へ回転させ、同図（Ｂ）の状態を経て同図（Ｃ）の状態に反転させる。同図（Ｂ）で示す反転途中では、球体６３により検知スイッチ８２のみがＯＮし、さらに同図（Ｃ）に示す反転状態では、検知スイッチ８３のみがＯＮする。この状態では、第２の表示手段６０ｂが上になり、この表示手段６０ｂの表示面である２面の表示内容が２ページ目に、第１の表示手段６０ａの表示面である１面の表示内容が３ページに順更新され、ユーザーは２面に表示された２ページ目を見ることができる。
【０１５０】
同様に、この装置本体６０の第１方向への反転を繰り返すことにより、１，２面の表示内容が順方向（ページ加算）で更新される。
【０１５１】
つまり、同図（Ｃ）に示す状態から装置本体６０を反時計方向へ反転させると、同図（Ｄ）に示す反転途中で検知スイッチ８４のみがＯＮし、図３１（Ｅ）に示す反転状態では、検知スイッチ８１のみがＯＮする。
【０１５２】
図３４において、同図（Ｅ）に示す反転状態では、第１表示手段６０ａが上になり、１面に順更新表示された３ページ目を見ることができ、第２の表示手段６０ｂである２面の表示内容が４ページに順更新される。
【０１５３】
同様に、同図（Ｆ）で示すように、検知スイッチ８２のみがＯＮする反転途中を経て同図（Ｇ）で示す反転状態では、第２表示手段６０ｂが上になり、２面に順更新表示された４ページ目を見ることができ、第１の表示手段６０ａである１面の表示内容が５ページに順更新される。この後、同図（Ｈ）に示す反転途中では、検知スイッチ８４のみがＯＮする。
【０１５４】
＜ページ逆方向の更新＞
逆に、装置本体６０を、第１方向とは逆の第２方向へ反転させることにより、１，２面の表示内容が逆方向（ページ減算）で更新される。
【０１５５】
図３５において、いま装置本体６０が同図（Ａ）に示す状態、つまり、検知スイッチ８３のみがＯＮし、第２の表示手段６０ｂの２面に４ページが表示され、第１の表示手段６０ａの２面に５ページが表示されている状態にあるとする。この状態から装置本体６０を時計方向である第２方向へ回転させ、同図（Ｂ）の状態を経て同図（Ｃ）の状態に反転させる。
【０１５６】
同図（Ｂ）で示す反転途中では、球体６３により検知スイッチ８２のみがＯＮし、さらに同図（Ｃ）に示す反転状態では、検知スイッチ８１のみがＯＮする。この状態では、第１の表示手段６０ａが上になり、１面の表示内容が３ページに逆更新される。
【０１５７】
同様に、装置本体６０を時計方向へ反転させると、同図（Ｄ）に示すように、検知スイッチ８４がＯＮする反転途中の状態を経て図３６（Ｅ）に示す反転状態となる。
【０１５８】
図３６（Ｅ）に示す反転状態では、第２の表示手段６０ｂが上になり、２面の表示内容が２ページに逆更新される。
【０１５９】
さらに、装置本体６０を時計方向へ反転させると、同図（Ｆ）に示すように、検知スイッチ８２がＯＮする反転途中の状態を経て同図（Ｇ）に示す反転状態となる。この反転状態では、第１の表示手段６０ａである１面が上になり、１面の表示内容が１ページに逆更新される。
【０１６０】
前記装置本体６０の反転操作であるめくり操作に伴う検知スイッチ８１〜８４のＯＮ・ＯＦＦ状態並びに表示ページをまとめて図３７に示す。
【０１６１】
このように、装置本体６０を反転させるだけの簡単な操作により、反転方向が検知されて、ページの更新が簡単に行えるうえ、めくり操作がページ数に制約されることもなく、使い勝手が良くなる。
【０１６２】
なお、反転検知手段は、上記のような球体６３を使用する構造に限らず、任意の形態を採用可能である。
【０１６３】
上記第３実施形態に係る電子ブック装置における表示制御部４０による処理は、図１１に示した第１実施形態の処理と同様の流れで行われる。
【０１６４】
次に、第３実施形態における初期表示処理（図１１のＳ０００）の内容を図３８のフローチャートで説明する。
【０１６５】
まず、Ｓ７００で、記憶部４３から１ページ目の画像を読み出して第１の表示手段６０ａである１面に与え、Ｓ７０１では、記憶部４３から２ページ目の画像を読み出して第２の表示手段６０ｂである２面に与える。
【０１６６】
この後、Ｓ７０２で、表示更新処理内の状態判断に用いる変数Ｓｔ（Ｓｔとする）を１に初期化する。
【０１６７】
次に、表示更新処理（図１１のＳ００３）の内容を図３９および図４０に示すフローチャートで説明する。
【０１６８】
図３９において、Ｓ８００では、状態判断変数Ｓｔが１であるか否かを判断し、状態判断変数Ｓｔが１であれば（Ｓ８００の判定がＹＥＳ）、Ｓ８０１では、反転検知部６１おける検知スイッチ８２がＯＮで、他の検知スイッチ８１，８３，８４がそれぞれＯＦＦであるか否かを判断する。
【０１６９】
検知スイッチ８２がＯＮで、他の検知スイッチ８１，８３，８４がそれぞれＯＦＦであれば（Ｓ８０１の判定がＹＥＳ）、Ｓ８０３で状態判断変数Ｓｔを２にして、リターンする。
【０１７０】
検知スイッチ８２がＯＮで他の検知スイッチ８１，８３，８４がＯＦＦ、でなければ（Ｓ８０１の判定がＮＯ）、そのままリターンする。
【０１７１】
Ｓ８００において、前記状態判断変数Ｓｔが１でなければ（Ｓ８００の判定がＮＯ）、Ｓ８０４で、状態判断変数Ｓｔが２であるか否かを判断し、状態判断変数Ｓｔが２であれば（Ｓ８０４の判定がＹＥＳ）、Ｓ８０５で、反転検知部６１おける検知スイッチ８３がＯＮで、他の検知スイッチ８１，８２，８４がそれぞれＯＦＦであるか否かを判断する。
【０１７２】
検知スイッチ８３がＯＮで、他の検知スイッチ８１，８２，８４がそれぞれＯＦＦであれば（Ｓ８０５の判定がＹＥＳ）、Ｓ８０６では、ページ順更新を行い、Ｓ８０７で状態判断変数Ｓｔを３にしたのち、リターンする。この場合、下側になった第１面に次のページが表示される。
【０１７３】
検知スイッチ８３がＯＮで他の検知スイッチ８１，８２，８４がＯＦＦ、でなければ（Ｓ８０５の判定がＮＯ）、Ｓ８０８では、反転検知部６１おける検知スイッチ８１がＯＮで、他の検知スイッチ８２，８３，８４がそれぞれＯＦＦであるか否かを判断する。検知スイッチ８１がＯＮで、他の検知スイッチ８２，８３，８４がそれぞれＯＦＦであれば（Ｓ８０８の判定がＹＥＳ）、Ｓ８１０で状態判断変数Ｓｔを１にして、リターンする。
【０１７４】
検知スイッチ８１がＯＮで検知スイッチ８２，８３，８４がＯＦＦ、でなければ（Ｓ８０８の判定がＮＯ）、そのままリターンする。
【０１７５】
前記状態判断変数Ｓｔが２でなければ（Ｓ８０４の判定がＮＯ）、Ｓ８１１で、状態判断変数Ｓｔが３であるか否かを判断する。状態判断変数Ｓｔが３であれば（Ｓ８１１の判定がＹＥＳ）、Ｓ８１２で、反転検知部６１おける検知スイッチ８４がＯＮで、他の検知スイッチ８１，８２，８３がそれぞれＯＦＦであるか否かを判断する。
【０１７６】
検知スイッチ８４がＯＮで、他の検知スイッチ８１，８２，８３がそれぞれＯＦＦであれば（Ｓ８１２の判定がＹＥＳ）、Ｓ８１４で状態判断変数Ｓｔを４にして、リターンする。
【０１７７】
検知スイッチ８４がＯＮで他の検知スイッチ８１，８２，８３がＯＦＦ、でなければ（Ｓ８１２の判定がＮＯ）、Ｓ８１５では、反転検知部６１おける検知スイッチ８２がＯＮで、他の検知スイッチ８１，８３，８４がそれぞれＯＦＦであるか否かを判断する。検知スイッチ８２がＯＮで、他の検知スイッチ８１，８３，８４がそれぞれＯＦＦであれば（Ｓ８１５の判定がＹＥＳ）、Ｓ８１６でページ逆更新を行い、Ｓ８１７で状態判断変数Ｓｔを２にしたのち、リターンする。
【０１７８】
検知スイッチ８２がＯＮで他の検知スイッチ８１，８３，８４がＯＦＦ、でなければ（Ｓ８１５の判定がＮＯ）、そのままリターンする。
【０１７９】
前記状態判断変数Ｓｔが３でなければ（Ｓ８１１の判定がＮＯ）、図４０のＳ８１８に進む。
【０１８０】
図４０において、Ｓ８１８では、状態判断変数Ｓｔが４であるか否かを判断し、状態判断変数Ｓｔが４であれば（Ｓ８１８の判定がＹＥＳ）、Ｓ８１９で、反転検知部６１おける検知スイッチ８１がＯＮで、他の検知スイッチ８２，８３，８４がそれぞれＯＦＦであるか否かを判断する。
【０１８１】
検知スイッチ８１がＯＮで、他の検知スイッチ８２，８３，８４がそれぞれＯＦＦであれば（Ｓ８１９の判定がＹＥＳ）、Ｓ８２０でページ順更新を行い、Ｓ８２１で状態判断変数Ｓｔを５にしたのち、リターンする。
【０１８２】
検知スイッチ８１がＯＮで他の検知スイッチ８２，８３，８４がそれぞれＯＦＦ、でなければ（Ｓ８１９の判定がＮＯ）、Ｓ８２２で、反転検知部６１おける検知スイッチ８３がＯＮで、他の検知スイッチ８１，８２，８４がそれぞれＯＦＦであるか否かを判断する。検知スイッチ８３がＯＮで、他の検知スイッチ８２，８３，８４がそれぞれＯＦＦであれば（Ｓ８２２の判定がＹＥＳ）、Ｓ８２４で状態判断変数Ｓｔを３にして、リターンする。
【０１８３】
検知スイッチ８３がＯＮで他の検知スイッチ８１，８２，８４がＯＦＦ、でなければ（Ｓ８２２の判定がＮＯ）、そのままリターンする。
【０１８４】
前記状態判断変数Ｓｔが４でなければ（Ｓ８１８の判定がＮＯ）、Ｓ８２５で、状態判断変数Ｓｔが５であるか否かを判断し、前記状態判断変数Ｓｔが５でなければ（Ｓ８２５の判定がＮＯ）、そのままリターンする。
【０１８５】
状態判断変数Ｓｔが５であれば（Ｓ８２５の判定がＹＥＳ）、Ｓ８２６で、反転検知部６１おける検知スイッチ８２がＯＮで、他の検知スイッチ８１，８３，８４がそれぞれＯＦＦであるか否かを判断する。
【０１８６】
検知スイッチ８２がＯＮで、他の検知スイッチ８１，８３，８４がそれぞれＯＦＦであれば（Ｓ８２６の判定がＹＥＳ）、Ｓ８２８で状態判断変数Ｓｔを２にしたのち、リターンする。
【０１８７】
検知スイッチ８２がＯＮで他の検知スイッチ８１，８３，８４がＯＦＦ、でなければ（Ｓ８２６の判定がＮＯ）、Ｓ８２９で、反転検知部６１おける検知スイッチ８４がＯＮで、他の検知スイッチ８１，８２，８３がそれぞれＯＦＦであるか否かを判断する。検知スイッチ８４がＯＮで、他の検知スイッチ８１，８２，８３がそれぞれＯＦＦであれば（Ｓ８２９の判定がＹＥＳ）、Ｓ８３０でページ逆更新を行い、Ｓ８３１で状態判断変数Ｓｔを４にしたのち、リターンする。
【０１８８】
検知スイッチ８４がＯＮで他の検知スイッチ８１，８２，８３がＯＦＦ、でなければ（Ｓ８２９の判定がＮＯ）、そのままリターンする。
【０１８９】
【発明の効果】
請求項１に係る発明によれば、検知手段による開閉状態の検知結果に応じて前記画像表示部材の表示内容を変更するとともに、前記各画像表示部材の同一方向へのページめくりと画像表示部材全体の１８０°回転操作とが繰り返されることにより、画像表示部材の表示面の合計数よりも多い数の表示内容を前記画像表示部材に表示させるので、画像表示部材を紙の本をめくるように開閉操作するだけの簡単な操作により、表示内容を変更できる。
【０１９３】
しかも、画像表示部材同士の接触状態から画像表示部材の開閉状態を検知する構成であるので、検知手段として、例えば機械的スイッチ等を採用することにより、めくり操作に伴って画像表示部材が完全に開いた状態が容易かつ確実に検知され、正確な表示更新が可能となる。
【０１９４】
請求項２に係る発明によれば、ページめくりに伴う前記画像表示部材の湾曲変形に基づく検出素子の変形を検知することにより、ページめくりに伴う画像表示部材の開閉状態を検知する構成であるので、表示ページの順更新や逆更新を比較的容易に行える。
【図面の簡単な説明】
【図１】この発明に第１の実施形態にかかる画像表示装置が適用された電子ブック装置を示す外観斜視図である。
【図２】同じく電子ブック装置の前側面図である。
【図３】同じく電子ブック装置の電気的構成を示すブロック図である。
【図４】表示面の展開図である。
【図５】同じく電子ブック装置のページ順方向更新時の説明図である。
【図６】図５に続くページ順方向更新時の説明図である。
【図７】図６に続くページ順方向更新時の説明図である。
【図８】同じく電子ブック装置のページ逆方向更新時の説明図である。
【図９】図８に続くページ逆方向更新時の説明図である。
【図１０】ページめくり操作に伴う検知スイッチ状態ならびに表示面の表示ページを示す表である。
【図１１】同じく電子ブック装置の制御の流れを示すフローチャートである。
【図１２】初期表示の処理の流れを示すフローチャートである。
【図１３】表示更新処理の流れを示すフローチャートである。
【図１４】図１３に続く流れを示すフローチャートである。
【図１５】図１４に続く流れを示すフローチャートである。
【図１６】ページ順更新の処理の流れを示すフローチャートである。
【図１７】ページ逆更新の処理の流れを示すフローチャートである。
【図１８】この発明に第２の実施形態にかかる画像表示装置が適用された電子ブック装置を示す外観斜視図である。
【図１９】同じく電子ブック装置を示す前側面図である。
【図２０】同じく電子ブック装置の電気的構成を示すブロック図である。
【図２１】表示面の展開図である。
【図２２】同じく電子ブック装置のページ順方向更新時の説明図である。
【図２３】図２２に続くページ順方向更新時の説明図である。
【図２４】図２３に続くページ順方向更新時の説明図である。
【図２５】同じく電子ブック装置のページ逆方向更新時の説明図である。
【図２６】図２５に続くページ逆方向更新時の説明図である。
【図２７】ページめくり操作に伴う検知スイッチ状態ならびに表示面の表示ページを示す表である。
【図２８】この発明に第３の実施形態にかかる画像表示装置が適用された電子ブック装置を示す外観斜視図である。
【図２９】同じく電子ブック装置を示す前側面図である。
【図３０】図２８のＸ−Ｘ線に沿った断面図である。
【図３１】同じく電子ブック装置の電気的構成を示すブロック図である。
【図３２】表示面の展開図である。
【図３３】同じく電子ブック装置のページ順更新時の説明図である。
【図３４】図３３に続くページ順更新時の説明図である。
【図３５】同じく電子ブック装置のページ逆更新時の説明図である。
【図３６】図３５に続くページ逆更新時の説明図である。
【図３７】ページめくり操作に伴う検知スイッチ状態ならびに表示面の表示ページを示す表である。
【図３８】同じく初期表示の処理の流れを示すフローチャートである。
【図３９】同じく表示更新の処理の流れを示すフローチャートである。
【図４０】図３９に続く流れを示すフローチャートである。
【符号の説明】
１０〜１２・・・画像表示部材
１０ａ，１０ｂ，１１ａ，１１ｂ，１２ａ，１２ｂ，６０ａ，６０ｂ・・・表示手段
３１〜３３，５１〜５４，８１〜８５・・・検知手段
４０・・・表示制御手段
６０・・・装置本体
【図１】
0003876680.tif 000002
【図２】
0003876680.tif 000003
【図３】
0003876680.tif 000004
【図４】
0003876680.tif 000005
【図５】
0003876680.tif 000006
【図６】
0003876680.tif 000007
【図７】
0003876680.tif 000008
【図８】
0003876680.tif 000009
【図９】
0003876680.tif 000010
【図１０】
0003876680.tif 000011
【図１１】
0003876680.tif 000012
【図１２】
0003876680.tif 000013
【図１３】
0003876680.tif 000014
【図１４】
0003876680.tif 000015
【図１５】
0003876680.tif 000016
【図１６】
0003876680.tif 000017
【図１７】
0003876680.tif 000018
【図１８】
0003876680.tif 000019
【図１９】
0003876680.tif 000020
【図２０】
0003876680.tif 000021
【図２１】
0003876680.tif 000022
【図２２】
0003876680.tif 000023
【図２３】
0003876680.tif 000024
【図２４】
0003876680.tif 000025
【図２５】
0003876680.tif 000026
【図２６】
0003876680.tif 000027
【図２７】
0003876680.tif 000028
【図２８】
0003876680.tif 000029
【図２９】
0003876680.tif 000030
【図３０】
0003876680.tif 000031
【図３１】
0003876680.tif 000032
【図３２】
0003876680.tif 000033
【図３３】
0003876680.tif 000034
【図３４】
0003876680.tif 000035
【図３５】
0003876680.tif 000036
【図３６】
0003876680.tif 000037
【図３７】
0003876680.tif 000038
【図３８】
0003876680.tif 000039
【図３９】
0003876680.tif 000040
【図４０】
0003876680.tif 000041